(57)【要約】【課題】壁の電気コンセントに電気プラグ端子を差し込んだとき電気プラグが部屋内に突出するので、家具などを置く場合壁との間に隙間を設けなければならないが、このような無駄な空間をなくすことができる埋込型電気コンセントを提供する。【解決手段】ダミーのコンセントを設けたダミーパネルを壁面と同一面に設け、電気プラグ端子を該ダミーのコンセントに差し込んだ状態で壁内に９０度倒し込み、壁内に取り付けた電気コンセントに挿入して固定することにより、室内側に電気プラグ等の突起物が出ないようにする。また、壁面と同一面に設けた電気コンセントに、電気プラグを差し込んだ状態で壁内に９０度倒し込み壁内に設けたコンセント収納ボックスに固定収納することにより、部屋内に突起物が出ないようにして室内空間の有効利用をはかる。【選択図】  図１
2005317427.tif 000002
【特許請求の範囲】
【請求項１】
電気コンセントを設けたコンセント本体の端辺に取り付けたヒンジに開方向に付勢するスプリングと、壁面で停止するストッパとを設けた埋込型電気コンセントにおいて、該電気コンセントを設けたコンセント本体の端辺にヒンジを介してダミーコンセントを設けたダミーパネルを取り付け、該コンセント本体の上面にダミーパネルを９０度倒した状態で電気プラグ端子がダミーコンセントを貫通して電気コンセントに差し込まれ、該コンセント本体とダミーパネルとを固定する手段を設けたことを特徴とする埋込型電気コンセント装置。  
【請求項２】
上記電気コンセント及びダミーコンセントをそれぞれ複数個横並びにコンセント本体及びダミーパネルに設けたことを特徴とする請求項１に記載の埋込型電気コンセント装置。
【請求項３】
上記電気コンセント及びダミーコンセントをそれぞれ複数個縦並びにコンセント本体及びダミーパネルに設けたことを特徴とする請求項１に記載の埋込型電気コンセント装置。
【請求項４】
電気コンセントを設けたコンセント本体の端辺に取り付けたヒンジに開方向に付勢するスプリングと、壁面で停止するストッパとを設けた埋込型電気コンセントにおいて、コンセント収納ボックスの端辺にヒンジを介して電気コンセントを設けたコンセント本体を取り付け、該コンセント収納ボックス１６内に電気プラグ端子を電気コンセントに差し込んで９０度倒し、該コンセント本体をコンセント収納ボックスに固定する手段を設けたことを特徴とする埋込型電気コンセント装置。
【請求項５】
上記電気コンセントを複数個横並びにコンセント本体上に設けたことを特徴とする請求項４に記載の埋込型電気コンセント装置。
【請求項６】
上記電気コンセントを複数個縦並びにコンセント本体上に設けたことを特徴とする請求項４に記載の埋込型電気コンセント装置。
【発明の詳細な説明】
【技術分野】
【０００１】
本発明は、電気コンセントに関し、特に壁面内にコンセントを収納することにより部屋側の突出物をなくすようにした埋込型電気コンセントに関するものである。
【背景技術】
【０００２】
従来、壁面内に埋め込む電気コンセントは、壁内に取り付けたコンセント本体に、電気プラグの差込口を有する電気コンセントをねじ等により固定したものが一般的に用いられている。
【０００３】
また、電気コンセントが立方形の形状でその縦軸を中心に回転して、電気プラグ使用時は電気コンセントの電気プラグ受け部を表面に出し、非使用時はコンセント本体を回転させて表面は平滑面とするよう構成された電気コンセントがあった（例えば、非特許文献１参照）。また、電気コンセントが楕円円柱形で、その縦軸を中心に回転して電気プラグを差し込んで回転させ、該電気プラグを壁中に収納する構造をもった電気コンセントがあった（例えば、特許文献１参照）。
【非特許文献１】実開平５−１５３７６
【特許文献１】特開２００２−４２９５３
【発明の開示】
【発明が解決しようとする課題】
【０００４】
従来は、電気コンセントに電気プラグ端子を差し込んだ使用時の状態では、差し込んだ電気プラグが壁面より室内側に突出して部屋の突起物になってしまう。従って、部屋に家具等を設置する場合には突出した電気プラグの長さ分だけ家具等を壁面より離して設置するか、あるいは家具等を脇に寄せて置かなければならず、部屋のスペースを割かなければならなかった。
【０００５】
また、従来の回転体の電気コンセントの場合は、コンセントから抜く際に電源コードを引っ張らなければならず、繰り返して使用するうちにプラグのコード接続部分やコード自体が損傷する危険性があり、また、電気プラグの長さ分だけ壁面を広く開孔しなければならないという欠点があった。
【０００６】
本発明は、前記従来の電気コンセントの欠点をなくし、電気プラグ端子を電気コンセントに差し込んだ状態でこれを壁内に傾倒させることにより、電気プラグを壁面内に収納し突起物を室内に突出させず家具等を壁面に極力近づけて設置できるようにし、かつ電気プラグとコードとの接続部分の損傷を防止するようにした。
【課題を解決するための手段】
【０００７】
本発明は、可倒ダミーコンセント４又は可倒電気コンセント２自体を壁面１０と同一面に取付け、不使用時には外観上これまでのコンセントと変わらないようにし、使用時には可倒ダミーコンセント４又は可倒電気コンセント２自体を壁内に傾倒して隠れるようにする。ダミーコンセント４又は電気コンセント２に電気プラグ端子１９を挿入し、ダミーコンセント４又は電気コンセント２が設けられたダミーパネル３又はパネル１５を押圧して壁内に収納する。このようにすると電気プラグ９及び電源コード１３は壁の内側に配置され壁面１０外側に突出はすることない。
【０００８】
上面に電気コンセント２を設けたコンセント本体１の端辺に、ダミーコンセント４を設けたダミーパネル３をヒンジ１４を介して取り付ける。該ヒンジ１４にはダミーパネル３を開方向に付勢するスプリング６を設け、壁開口部に鍔付の縁枠を取り付ける。この縁枠の鍔によってダミーパネル３がコンセント本体１上面に対して直角位置で停止するが、ヒンジ１４にストッパ１８を設けて壁面位置で停止させることもできる。電気プラグ端子１９をダミーコンセント４に差し込み、コンセント本体１上面にダミーパネル３を９０度倒して、ダミーコンセント４を貫通した電気プラグ端子１９を電気コンセント２に差し込む。コンセント本体１の上にダミーパネル３を倒し重ねた状態で、コンセント本体１とダミーパネル３とを固定する。
【０００９】
また、ダミーコンセント４を用いないで電気コンセント２を壁内に傾倒させて部屋内に突起物が出ないようにすることも可能である。上面に電気コンセント２を設けたコンセント本体１を、該コンセント本体１を収納するコンセント収納ボックス１６にヒンジ１４を介して取り付ける。該ヒンジ１４にはコンセント本体１を開方向に付勢するスプリング６とコンセント本体１がコンセント収納ボックス１６に対して直角位置で停止するストッパ１８とを設ける。電気プラグ端子１９を電気コンセント２に差し込んで９０度倒し込みコンセント収納ボックス１６に収納した状態で、コンセント収納ボックス１６にコンセント本体１を固定する。
【００１０】
該ヒンジ１４には、コンセント本体１を開方向に付勢するスプリング６とダミーコンセント４を設けたダミーパネル３又は電気コンセント２を設けたパネル１５が垂直位置で停止するストッパ１８を設けることにより、コンセントの非使用時にはダミーパネル３やパネルが壁面１０と同一面上にあるようにし外観上美観を損ねることがないようにする。
【００１１】
壁の奥行きが浅い場合、コンセント本体１上に電気コンセント２を複数個横並びに設け、またダミーパネル３上にダミーコンセント４を複数個横並びに設ける。一方、壁の奥行き幅が大きい場合は、コンセント本体１上に電気コンセント２を複数個たて並びに設け、またダミーパネル３上にダミーコンセント４を複数個たて並びに設ける。
【発明の効果】
【００１２】
電気コンセントを使わない時は、ダミーパネルやコンセントが壁面と同一面にあるので外観上部屋の美観を損ねることがなく、使用時には電気コンセントや電気プラグが収納されるので室内の突起物が小さくなる。したがって、従来のようにコンセントを避けて家具等を脇に寄せて置いたり、プラグやコード分だけ家具を壁から離しておく必要がなく、什器等を極力壁面に近づけて設置することができるので部屋のスペースを有効に利用することができる。
【００１３】
電気プラグは壁内に収納され、壁の外側に出ている電源コードは壁に沿わせて止め具等で固定することにより、プラグとコードの接続部分の損傷を防ぎ、プラグやコードに足を捕られて高齢者等が転倒するのを防止することができる。
【００１４】
壁の厚さや使用条件によって、横型、縦型の電気コンセントを選択でき、また、従来の電気プラグ収納型電気コンセントのように電気コードを引っ張ったり摩擦させたりすることはないので、電源コードを傷めることがない。  
【発明を実施するための最良の形態】
【００１５】
本発明は、可倒ダミーコンセント４を壁面１０と同一面に取付けて不使用時には外観上これまでのコンセントと変わらないようにし、使用時には可倒ダミーコンセント４を壁内に傾倒して隠れるようにする。可倒ダミーコンセント４に電気プラグ端子１９を挿入し、可倒ダミーコンセント４が設けられたダミーパネル３を押圧して壁内に収納する。このようにすると電気プラグ９と電源コード１３の接続部分は壁の内側に配置され壁面１０の外側に突出はすることない。
【００１６】
上面に電気コンセント２を設けたコンセント本体１を、その取付部（図示せず）にビス等で壁内の柱や横木などに取り付け、電気コンセント２には主電源コード５を接続する。コンセント本体１の端辺に取り付けられたヒンジ１４を介してダミーコンセント４を設けたダミーパネル３を取り付け、ヒンジ１４にはダミーパネル３を開方向に付勢するスプリング６を取り付ける。また壁の開口部に鍔付き枠縁２０を取り付けることによって、ダミーパネル３が枠縁２０の鍔に当たりコンセント本体１上面に対して直角位置で停止する（図１、図２）。この鍔付き枠縁２０に替えて、ヒンジ１４にストッパ１８を設けることによってダミーパネル３を壁面位置で停止するようにすることもできる。
【００１７】
コンセント本体１に設けた電気コンセント２の電気プラグ受部１２は、電気プラグ端子１９をダミーコンセント４に挿入した状態でダミーパネル３をＡの如く９０度傾倒し重ねたとき、コンセント本体１上面の電気コンセント２に円滑に差し込まれるように構成する。電気プラグ端子１９をダミーコンセント４に差し込み貫通させて、コンセント本体１上面にダミーパネル３をヒンジ１４の回転中心を支点に９０度倒し電気プラグ端子１９を電気コンセント２に差し込む（図２、図６）。
【００１８】
コンセント本体１の上にダミーパネル３を倒し重ねた状態で、コンセント本体１とダミーパネル３とを固定する。両部品を固定するために、ダミーパネル３側に嵌脱部７を設け他方のコンセント本体１側には嵌脱部受部１７を設け、両者を嵌着して固定する（図２、図３）。固定する手段として、この他パッチン錠、平面ファスナー等によっても着脱固定が可能である。
【００１９】
電気プラグ９を抜く場合は、ダミーパネル３に設けられた持ち手８を引っ掛け嵌脱部７等の固定部をはずすと、コンセント本体１からダミーパネル３が離れスプリング６の付勢力により鍔付き枠縁２０の位置まで戻り、容易に電気コンセント２から電気プラグ端子１９を抜くことができる（図３、図７）。
【００２０】
電気プラグ９及び電気プラグ９と電源コード１３との接続部分は壁面１０外側に出ることはないので、従来の壁面１０と家具等１１間の距離Ｘは小さくなり電源コード１３の幅Ｙとなる（図２、図３）。また、ヒンジ１４には、コンセント本体１を開方向に付勢するスプリング６とダミーパネル３が垂直位置で停止する鍔付き枠縁２０を設けているので、非使用時にはダミーパネル３は自動的に壁面１０とつらが合うようになり外観上美観を損ねることがない。
【００２１】
上記ダミーコンセント４を用いないで電気コンセント２を壁内に傾倒させて部屋内に突起物が出ないようにすることも可能である。可倒ダミーコンセント４に替え、可倒電気コンセント２自体を壁面１０と同一面に取付け不使用時には外観上これまでのコンセントと変わらないようにし、使用時には電気コンセント２を設けたパネル１５を壁内に傾倒して隠れるようにする。電気コンセント２に電気プラグ端子１９を挿入し押圧して壁内に設置したコンセント本体収納箱１６に収納する。このようにすると電気プラグ９及び電源コード１３は壁の内側に配置され壁面１０の外側に突出はすることない。
【００２２】
可倒電気コンセント２を用いる場合も、可倒ダミーコンセント４の場合と同様に、コンセント収納ボックス１６を、その取付部（図示せず）にビス等で壁内の柱や横木などに取り付け、電気コンセント２には主電源コード５を接続する。電気コンセント２を設けたコンセント本体１をヒンジ１４を介してコンセント収納ボックス１６に取り付ける。該ヒンジ１４にはコンセント本体１を開方向に付勢するスプリング６とコンセント本体１がコンセント収納ボックス１６に対して直角位置で停止するストッパ１８を設ける。このストッパ１８に替えて、鍔付き枠縁２０によって壁面位置に停止させることも可能である。
【００２３】
電気プラグ端子１９を電気コンセント２に差し込んで９０度倒し込みコンセント収納ボックス１６に収納した状態で、コンセント収納ボックス１６にコンセント本体１を設けたパネル１５を固定する。両部品を固定するために、パネル１５１側に嵌脱部７を設け他方のコンセント収納ボックス１６には嵌脱部受部１７を設け両者を嵌着して固定する。この他固定手段として、パッチン錠、平面ファスナー等によって着脱可能に固定することも可能である。
【００２４】
電気プラグ９を抜く場合は、ダミーパネル３やパネル１５に設けられた持ち手８を引っ掛けて嵌脱部７等の固定部の契合をはずすと、コンセント本体１を設けたパネル１５はコンセント収納ボックス１６から離れ、スプリング６の付勢力によりストッパ１８や枠縁の鍔の位置まで戻り、容易に電気コンセント２から電気プラグ端子１９を抜くことができる。
【００２５】
電気プラグ９及び電気プラグ９と電源コード１３との接続部分は壁面１０外側に出ることはないので、従来の壁面１０と家具等１１間の距離Ｘは小さくなり電源コード１３の幅Ｙとなる（図９、図１１）。また、ヒンジ１４にはダミーパネル３やパネル１５を開方向に付勢するスプリング６を取り付け、ストッパ１８や枠縁の鍔を設けてあるで、非使用時にはダミーパネル３やパネル１５は自動的に壁面１０と同一面上にきて外観的にも体裁がよい。
【００２６】
壁の奥行きが浅く縦型の可倒電気コンセントを設置できでない場合や、使用の目的上電気コンセント２を横並びにしたい場合は、横型の可倒電気コンセントを使用する（図１、図１１）。ダミーパネル３上のダミーコンセント４又はパネル１５に設けた電気コンセント２を複数個横並びに設ける。一方、壁の奥行き幅が大きく使用の目的上縦並び電気コンセント２が必要な場合は、縦型の可倒電気コンセントを使用すればよい（図４、図８）。ダミーパネル３上のダミーコンセント４又はパネル１５に設けた電気コンセント２を複数個縦並びに設ける。
【実施例】
【００２７】
壁の内厚が１００ｍｍで充分なスペースが確保できないので、横型３連の埋込型電気コンセントを用いた例を次に示す。３連のダミーコンセント４を設けたダミーパネル３を幅１７０ｍｍ、高さ７０ｍｍとし、コンセント本体１の高さを５０ｍｍ、幅１７０ｍｍ及び奥行き７０ｍｍとし、これを壁内の横木に取りつける（図１）。
【００２８】
このダミーパネル３上のダミーコンセント４に電気プラグ９を差し込み、それを押し込むことによりスプリング６を設けたヒンジ１４の回転中心を支点として９０度傾倒して固定する。壁面１０外に出た電源コード１３を止め具で壁面１０に固定する。外部に出ている電源コード１３を止め具で壁面１０に固定することにより、約５ｍｍ〜７ｍｍの突起があるが、壁面１０にぴったり沿わしているため、足などに引っかけたりする危険性はなくなった。
【００２９】
電気プラグ９及び電源コード１３は壁の内側に収納され、電源コード１３のみが壁面１０から約５ｍｍ〜１０ｍｍ外に出るだけなので、家具等１１は壁面１０から約１０ｍｍまで近づけて設置することができた。これまでのコンセントでは、電気プラグ９、電気プラグ９と電源コード１３の接続部分が壁面１０より約８０ｍｍ程度突出し、家具等１１を壁に近づけて設置できなかったが、これにより部屋の空間が約７０ｍｍ〜７５ｍｍ広く使えるようになった。
【図面の簡単な説明】
【００３０】
【図１】横型埋込型電気コンセントの斜視図
【図２】倒置前における横型の埋込型電気コンセントの断面図
【図３】倒置後における横型の埋込型電気コンセントの使用状態断面図
【図４】縦型の埋込型電気コンセントの斜視図
【図５】縦型の埋込型電気コンセントを壁内に取付けた状態の斜視図
【図６】倒置前における縦型の埋込型電気コンセントの断面図
【図７】倒置後における縦型の埋込型電気コンセントの使用状態断面図
【図８】電気コンセント一体型の縦型の埋込型電気コンセントの斜視図
【図９】倒置前における電気コンセント一体型の縦型の埋込型電気コンセントの断面図
【図１０】倒置後における電気コンセント一体型の縦型の埋込型電気コンセントの使用状態断面図
【図１１】倒置前における電気コンセント一体型の横型の埋込型電気コンセントの断面図
【図１２】倒置後における電気コンセント一体型の横型の埋込型電気コンセントの使用状態断面図
【符号の説明】
【００３１】
１      コンセント本体
２      電気コンセント
３      ダミーパネル
４      ダミーコンセント
５      主電源コード
６      スプリング
７      嵌脱部
８      持ち手
９      電気プラグ
１０    壁面
１１    家具等
１２    電気プラグ受部
１３    電源コード
１４    ヒンジ
１５    パネル
１６    コンセント収納ボックス
１７    嵌脱部受部
１８    ストッパ
１９    電気プラグ端子
２０    鍔付き枠縁
２１    枠縁
【図１】
2005317427.tif 000003
【図２】
2005317427.tif 000004
【図３】
2005317427.tif 000005
【図４】
2005317427.tif 000006
【図５】
2005317427.tif 000007
【図６】
2005317427.tif 000008
【図７】
2005317427.tif 000009
【図８】
2005317427.tif 000010
【図９】
2005317427.tif 000011
【図１０】
2005317427.tif 000012
【図１１】
2005317427.tif 000013
【図１２】
2005317427.tif 000014